(57)【要約】【課題】ＨＤＤなどの記録媒体に不良が合った場合に記録されていた映像データなどのコンテンツは消失してしまう、また外付けの記録媒体へのコンテンツを記録する場合に制約があるという問題点があった。【解決手段】複数の記録媒体を持ち一方の記録媒体から他方へコンテンツのバックアップを行う際にバックアップを行ったコンテンツのリストを保持し、記録媒体が不良の場合にバックアップを行ったコンテンツのリストを用いて判断しながらコンテンツの復元を行う。また、記録媒体を区別する情報を元に暗号化をおこなうことでコンテンツ記録に関わる制約を改善する。【選択図】図１
2007294054.tif 000002
【特許請求の範囲】
【請求項１】
記録媒体に映像データなどのコンテンツを記録し、その記録したコンテンツを記録媒体から読み出して再生する記録再生装置であって、
機器ごとに区別を行うための情報を生成する手段と、
コンテンツを記録する際に機器ごとに区別する情報を元に暗号化を行う手段と、
暗号化を行ったコンテンツを記録媒体への記録を行う手段と、
複数の記録媒体を持ち一方の記録媒体から他方へコンテンツのバックアップを行う手段と、
バックアップを行ったコンテンツのリストを保持する手段と、
記録媒体が不良で交換した場合にバックアップを行ったコンテンツのリストを用いて判断しながらコンテンツの復元を行う手段と、
を具備したことを特徴とするデジタル画像記録再生装置。
【請求項２】
記録媒体に映像データなどのコンテンツを記録し、その記録したコンテンツを記録媒体から読み出して再生する記録再生装置であって、
機器ごとに区別を行うための情報を生成する手段と、
記録を行う記録媒体毎に区別を行うための情報を生成する手段と、
コンテンツを記録する際に機器ごとに区別する情報とコンテンツを記録する記録媒体を区別する情報を元に暗号化を行う手段と、
暗号化を行ったコンテンツを記録媒体への記録を行う手段と、
を具備したことを特徴とするデジタル画像記録再生装置。
【請求項３】
記録媒体に映像データなどのコンテンツを記録し、その記録したコンテンツを記録媒体から読み出して再生する記録再生装置であって、
機器ごとに区別を行うための情報を生成する手段と、
記録を行う記録媒体毎に区別を行うための情報を生成する手段と、
コンテンツを記録する際に機器ごとに区別する情報とコンテンツを記録する記録媒体を区別する情報を元に暗号化を行う手段と、
暗号化を行ったコンテンツを記録媒体への記録を行う手段と、
複数の記録媒体を持ち一方の記録媒体から他方へコンテンツのバックアップを行う手段と、
バックアップを行ったコンテンツのリストを保持する手段と、
記録媒体が不良で交換した場合にバックアップを行ったコンテンツのリストを用いて判断しながらコンテンツの復元を行う手段と、
を具備したことを特徴とするデジタル画像記録再生装置。
【請求項４】
請求項１または請求項３に記載のデジタル画像記録再生装置において、
バックアップを行ったコンテンツのリストを保持する手段に、
不揮発性のメモリを使用することを特徴とするデジタル画像記録再生装置。
【請求項５】
請求項１乃至請求項４のいずれかに記載のデジタル画像記録再生装置において、
記録媒体がＨＤＤであることを特徴とするデジタル画像記録再生装置。
【発明の詳細な説明】
【技術分野】
【０００１】
本発明は、デジタル放送などでデジタル映像、及び、音声、電子情報等のコンテンツを記録媒体に記録再生を行う装置におけるコンテンツのバックアップ、及び、その管理方法に関する。
【背景技術】
【０００２】
デジタル放送などのコンテンツを保存するための記録再生を行う装置に関し、以下のような従来例がある。近年、デジタル放送が開始されており、デジタル放送信号をビットストリームのまま記録する装置が商品化されている。また、デジタル放送には一般的にＭＰＥＧのトランスポートストリーム（以下、ＭＰＥＧ−ＴＳと略して記載する）が採用されている。
【０００３】
図４を用いて説明する。デジタル放送ではコンディショナルアクセス（限定受信）を可能とするためにＭＰＥＧ−ＴＳには暗号化が施され、変調された信号が送られてくる。受信機側ではアンテナ０１で受信した信号からチューナー０４にて復調を行い必要なチャンネルの信号が取り出される。取り出された信号はコンディショナルアクセスを実現するための認証手段、例えば、日本のデジタル放送ではＢ−ＣＡＳカードを使った認証が行われ、暗号化解除のためのキー情報が取り出される。このキー情報を元にデスクランブラ０５にて暗号化解除が行われ、ＭＰＥＧ−ＴＳが生成される。
【０００４】
このＭＰＥＧ−ＴＳでは複数の番組のストリームが多重化された状態になっており、ユーザーの必要とするストリームを取り出すためにはＴＳ−ＤＥＭＵＸ１１にて分割が行われ、必要な部分だけ抜き出したストリーム（パーシャルＴＳ）が取り出される。表示のためにこのパーシャルＴＳから番組の情報を示すセクション情報とＶＩＤＥＯストリーム、ＡＵＤＩＯストリーム、データ放送等の電子データに分割される。その後、ＶＩＤＥＯストリームはＶＩＤＥＯデコーダ０７で映像デコード処理され、データ放送等の情報と合わせて視聴のために表示装置０８に出力される。ＡＵＤＩＯストリームはＡＵＤＩＯデコーダ１２で音声デコード処理されスピーカー１３に出力される。
【０００５】
一方、デジタル放送の映像を従来のアナログ記録ではなく、ＶＩＤＥＯストリーム、ＡＵＤＩＯストリーム、データ放送等の電子データなどのデジタルストリームをコンテンツとしてデジタルのまま記録媒体に記録する機器が製品化されてきている。図５を用いて説明する。ストレージメディアとしては磁気テープ、ＨＤＤ（Ｈａｒｄ  Ｄｉｓｋ  Ｄｒｉｖｅ：磁気ディスクドライブ）、ＤＶＤ（Ｄｉｇｉｔａｌ  Ｖｅｒｓａｔｉｌｅ  Ｄｉｓｃ：デジタル多目的ディスク）、メモリなど様々である。
【０００６】
デジタルストリームを記録する際には従来のアナログ記録の様に記録による劣化がないので著作権の保護を行う著作権管理が重用になってくる。デジタル放送の著作権管理としてコンテンツ毎にコピー制御情報（ＣＣＩ：Copy Control Information）として複製条件を、”コピー禁止”、”１回コピー可”、”コピー可”のどれかを指定し、これによって複製の制限をすることが挙げられる。記録媒体に記録が可能なコンテンツのコピー制御情報は”１回コピー可”、”コピー可”の状態のものであり、”コピー禁止”の状態のものは記録できない。また、”１回コピー可”の状態のコンテンツはストレージメディアに記録した段階で”コピー禁止”となり、いわゆる孫コピーは出来ない。”コピー可”の状態のものはもちろん、複数回のコピーが可能である。
【０００７】
”１回コピー可”の状態から記録したことで”コピー禁止”となったコンテンツは次のコピーが禁止されるが他のストレージメディアへの移動（以後、”ムーブ”）は一般的に許可されている。近年のデジタル放送のコンテンツはコピー制御情報として”１回コピー可”のもの（以後、コピーワンスと表現する）が主流となり、コピーの管理が重要になってきている。また、コピー管理と合わせて、記録媒体に記録されたコンテンツが他の手段によって不正にコピーされることを防がなければいけない。
【０００８】
デジタル放送を記録する機器として記録媒体に磁気テープを使用するＤ−ＶＨＳなどの規格が早くから決まり、製品化されてきた。受信したデジタル放送を磁気テープに記録して保存することで磁気テープを持ち出すことで他の機器でも再生が可能である。この機器間の接続手段としてＩＥＥＥ１３９４Ｉ／Ｆ０９を使いコンテンツをやり取りする場合に必要になるコピー保護技術としてＤＴＣＰ（Digital Transmission Content Protection）仕様が早くから策定されていた。このＤＴＣＰは機器間で認証を行い、取り決めに従い暗号回路１０にて暗号化を行ってストリームの転送を行う、また、ＣＣＩを判別しコピー管理をおこなうものである。先のコピーワンスのコンテンツをＩＥＥＥ１３９４経由でムーブする際は機器間でＤＴＣＰの規格にてムーブの際に元のコンテンツは確実に消去されコピー管理が保障される。
【０００９】
一方、記録媒体としてＤＶＤ使用する場合は著作権管理のためにＣＰＲＭ（Content Protection for Recordable Media）対応のディスクが用いられる。これはディスクごとに固有の番号を持っておりこれを暗号回路１５での暗号化のキーに用いることにより、コンテンツとディスクを一対一に対応付けることが出来る。他のメディアにデータをコピーしてもディスクごとに固有の番号がことなるために暗号が正常に復号出来ないために先のコピーワンスのコンテンツを記録してもコピー管理が正しく行われる。
【００１０】
ＤＶＤの中にはＣＰＲＭに対応していないメディアがあるがコピー管理されたコンテンツを記録する際には使用できない。従来はＣＰＲＭ対応のＤＶＤメディアはリライタブルのものが主流であったがライトワンスのメディアにもＣＰＲＭ対応のものが製品化されてきている。記録媒体としてＨＤＤを使用する機器では使用するＨＤＤは性能、コストの面からＰＣ（パーソナルコンピュータ）で使用しているものと同等のものが使用されている。
【００１１】
デジタル放送で送られて来たストリームはＢ−ＣＡＳカードにて認証が行われ、デスクランブラ０５にて暗号化解除が行われる。暗号化解除が行われたストリームはＨＤＤに記録する前に機器固有のキーを用いて暗号回路１４にてローカル暗号が掛けられ、独自のフォーマットで記録する。これにより、例えＨＤＤを取り出し、他のＰＣ等で不正にコピー、改ざんされることを防いでいる。
【００１２】
近年の製品の傾向としてＨＤＤとＤＶＤを一体化した製品が多くなり、主な使い方としてはデジタル放送をまずＨＤＤにて記録を行い、視聴して不要となったコンテンツは削除し、残して置いたコンテンツはＨＤＤの容量に限りがあるのでＤＶＤにコピー、又は、ムーブして残して置くというのである。
【００１３】
ＨＤＤは内蔵で他の機器とのやり取りが出来ないがＤＶＤにコンテンツを記録することで他の機器での再生が可能となる。図６にこの例を示す。図中のＳＴＥＰ１からＳＴＥＰ３に示す箱は内蔵ＤＶＤに入れられたディスクメディアのデータブロック、内蔵ＨＤＤのデータブロックを実際は多くのデータブロックがあるところを説明のために簡単にしイメージ化したものである。
【００１４】
ＳＴＥＰ１では内蔵ＤＶＤのメディアにコンテンツは無く、記録する前のフォーマットが完了した状態を示す。データブロック内の一部はＦｉｌｅ管理情報に使用し、それ以外は空いている状態である。一般にＦｉｌｅ管理情報は暗号化されていない。内蔵ＨＤＤにはコンテンツ１、コンテンツ２が記録済みである。データブロック内の一部はＦｉｌｅ管理情報に使用している。一般にＦｉｌｅ管理情報は暗号化されていない。また、場合によってはコンテンツの情報を管理するために使用する。一般にコンテンツ管理情報には機器固有のキー（以後、Ｄｅｃｋ＿Ｋｅｙと表現する）を用いて暗号化して記録される。コンテンツもＤｅｃｋ＿Ｋｅｙを用いて暗号化されて記録される。
【００１５】
ＳＴＥＰ２ではコンテンツ３が新たに記録された状態を表す。コンテンツ３がＤｅｃｋ＿Ｋｅｙにて暗号化されてデータブロックに記録される。合わせてコンテンツ管理情報にコンテンツ３の追加を反映させたものがＤｅｃｋ＿Ｋｅｙを用いて暗号化して更新される。続いてＦｉｌｅ管理情報にコンテンツ３の追加された状態とコンテンツ管理情報が更新された状態を反映して記録される。
【００１６】
ＳＴＥＰ３では内蔵ＨＤＤから内蔵ＤＶＤのメディアにコンテンツ２をムーブする状態を表している。コンテンツ２はＤｅｃｋ＿Ｋｅｙで復号された後、ＤＶＤに記録するためにＣＰＲＭなどの規格に従い暗号化がされ、メディアに記録され、Ｆｉｌｅ管理情報が更新される。ＤＶＤに記録が確認された後、内蔵ＨＤＤからコンテンツ２の削除を行うためにコンテンツ管理情報、Ｆｉｌｅ管理情報が更新される。
【００１７】
最近、外付けのＨＤＤで記録再生を行う機種が出てきている。接続方法としてはＬＡＮ  Ｉ／Ｆ１６を使った接続、ＵＳＢ  Ｉ／Ｆ１６を使った接続などがある。
この場合、記録フォーマットとしてＰＣでも読み取りが可能なものとするが記録するコンテンツには暗号回路１４を用いてローカル暗号をおこなって、記録した機器でしか再生出来ないようにしている。外付けのため他の機器に接続、コンテンツの移動、コピーなどが可能であるが再生できる機器を限定することで著作権の保護をおこなっている。ただし、自由にコピーが出来るがためにＤＶＤへのムーブを行おうとしても元となるコンテンツが複数存在するため、全てを削除出来ないのでムーブが行えない。
【００１８】
図７に示すようにＳＴＥＰ１、ＳＴＥＰ２は先の図６の説明と同様であるがＳＴＥＰ３のＨＤＤからＤＶＤのムーブは禁止している。これはＳＴＥＰ３−ＮＧ、ＳＴＥＰ４−ＮＧに示すようにムーブを許可すると不具合が生じる。例えばＳＴＥＰ２の状態時に外付けＨＤＤの内容を他のＨＤＤに保存して保持しておく。そしてＳＴＥＰ３−ＮＧの様にコンテンツ２をムーブした後、本来外付けＨＤＤの中にはコンテンツ２が無くなるが、ＳＴＥＰ４−ＮＧの様に保持していたＳＴＥＰ２での状態に戻してしまうことが出来る。この場合、コンテンツ２はＤＶＤとＨＤＤの両者に存在することになり、コピー管理に破綻が生じる。
【００１９】
一方、管理情報を保護する方法として従来技術がある。特許文献１によれば、コンテンツを記録した記録媒体とは別にＥＥＰＲＯＭなどへ管理情報を設けることで記録媒体に保存されたコンテンツの複製を阻止する技術が記載されている。
【特許文献１】特開２００３−１６７６８６号公報
【発明の開示】
【発明が解決しようとする課題】
【００２０】
しかしながら、上述の装置のように、従来のＨＤＤ記録再生装置では内蔵ＨＤＤタイプの場合、内蔵のＨＤＤに不良が発生した場合に記録されていた映像データなどのコンテンツは消失してしまうという問題を有している。
【００２１】
一方、外部ＨＤＤタイプの場合にはコンテンツスの複製が可能であるためにひとつのＨＤＤが不良の場合にコンテンツの復元が可能であるが、通常使用時に他のメディアにムーブすることが出来ず使い方に制約を受けるという問題を有している。
また、複製を防止するために管理情報を記録媒体と別に設けるような方法をとる場合には管理情報を記憶しておくための膨大な記憶素子を用いる必要がありコストの上昇を招く問題を有している。
【００２２】
本発明は、そのような状況に鑑みてなされたもので、コンテンツのバックアップを作成する際にそのリストのみを保持手段に残すこと、コストを抑えつつＨＤＤの不良の際にコンテンツの復元を可能とし、通常使用時には安全に他のメディアへのムーブを可能にする方法を提供することを目的とする。
【課題を解決するための手段】
【００２３】
本発明はこうした課題を解決するための手段を提供するもので、本発明は以下の技術手段を構成する。
上記目的を達成するために、第１の発明のデジタル画像記録再生装置は、ａ）記録媒体に映像データなどのコンテンツを記録し、その記録したコンテンツを記録媒体から読み出して再生する記録再生装置であって、ｂ）機器ごとに区別を行うための情報を生成する手段と、ｃ）コンテンツを記録する際に機器ごとに区別する情報を元に暗号化を行う手段と、ｄ）暗号化を行ったコンテンツを記録媒体への記録を行う手段と、ｅ）複数の記録媒体を持ち一方の記録媒体から他方へコンテンツのバックアップを行う手段と、ｆ）バックアップを行ったコンテンツのリストを保持する手段と、ｇ）記録媒体が不良で交換した場合にバックアップを行ったコンテンツのリストを用いて判断しながらコンテンツの復元を行う手段と、を具備したことを特徴とする。
【００２４】
第２の発明のデジタル画像記録再生装置は、ａ）記録媒体に映像データなどのコンテンツを記録し、その記録したコンテンツを記録媒体から読み出して再生する記録再生装置であって、ｂ）機器ごとに区別を行うための情報を生成する手段と、ｃ）記録を行う記録媒体毎に区別を行うための情報を生成する手段と、ｄ）コンテンツを記録する際に機器ごとに区別する情報とコンテンツを記録する記録媒体を区別する情報を元に暗号化を行う手段と、ｅ）暗号化を行ったコンテンツを記録媒体への記録を行う手段と、を具備したことを特徴とする。
【００２５】
第３の発明のデジタル画像記録再生装置は、ａ）記録媒体に映像データなどのコンテンツを記録し、その記録したコンテンツを記録媒体から読み出して再生する記録再生装置であって、ｂ）機器ごとに区別を行うための情報を生成する手段と、ｃ）記録を行う記録媒体毎に区別を行うための情報を生成する手段と、ｄ）コンテンツを記録する際に機器ごとに区別する情報とコンテンツを記録する記録媒体を区別する情報を元に暗号化を行う手段と、ｅ）暗号化を行ったコンテンツを記録媒体への記録を行う手段と、ｆ）複数の記録媒体を持ち一方の記録媒体から他方へコンテンツのバックアップを行う手段と、ｇ）バックアップを行ったコンテンツのリストを保持する手段と、ｈ）記録媒体が不良で交換した場合にバックアップを行ったコンテンツのリストを用いて判断しながらコンテンツの復元を行う手段と、を具備したことを特徴とする。
【００２６】
第４の発明のデジタル画像記録再生装置は、請求項１又は請求項３のいずれかに記載のデジタル画像記録再生装置において、バックアップを行ったコンテンツのリストを保持する手段に、不揮発性のメモリを使用することを特徴とする。
【００２７】
第５の発明のデジタル画像記録再生装置は、請求項１乃至請求項４のいずれかに記載のデジタル画像記録再生装置において、記録媒体がＨＤＤであることを特徴とする。
【発明の効果】
【００２８】
本発明によれば以下の効果がもたらされる。
第１の発明のデジタル画像記録再生装置は、上述したような構成としているので、記録媒体のバックアップが可能であり、記録媒体が不良で使用できなくなった場合でも代替の記録媒体を使用することでバックアップデータからコンテンツを復元することが可能となる。
【００２９】
第２の発明のデジタル画像記録再生装置は、上述したような構成としているので、複数の記録媒体を使用する場合でもコンテンツを移動する場合の制約を無くすことが可能となる。
【００３０】
第３の発明のデジタル画像記録再生装置は、上述したような構成としているので、記録媒体のバックアップが可能であり、記録媒体が不良で使用できなくなった場合でも代替の記録媒体を使用することでバックアップデータからコンテンツを復元することを可能としつつ、複数の記録媒体を使用する場合でもコンテンツを移動する場合の制約を無くすことが可能となる。
【００３１】
第４の発明のデジタル画像記録再生装置は、上述したような構成としているので、電源が供給されない状態になっても復元すべきリストが消失しないので不正なコンテンツの復元を避けることが出来る。
【発明を実施するための最良の形態】
【００３２】
本発明による記録再生装置の実施形態の一例を図１乃至図３に基づいて以下に説明する。
図１は、本発明によるデジタル画像記録再生装置の実施形態例における構成の一例であり、従来の構成に対してバックアップ情報記憶部２６、ＫＥＹ生成部１６への入力情報として機器区別に、記録媒体区別情報を追加した形で構成されている。
【実施例１】
【００３３】
図２は実施例１を説明する図であり、本発明の図１のブロック構成を用いた場合を説明する図である。図中に示す箱は各記録媒体のデータブロックを表し、実際は多くのデータブロックがあるところを説明のために簡単にしイメージ化したものである。
【００３４】
図２のＳＴＥＰ１では内蔵ＤＶＤのメディアにコンテンツは無く、記録する前のフォーマットが完了した状態を示す。データブロック内の一部はＦｉｌｅ管理情報に使用し、それ以外は空いている状態である。一般にＦｉｌｅ管理情報は暗号化されていない。内蔵ＨＤＤにはコンテンツ１、コンテンツ２、コンテンツ３が記録済みである。データブロック内の一部はＦｉｌｅ管理情報に使用している。一般にＦｉｌｅ管理情報は暗号化されていない。また、場合によってはコンテンツの情報を管理するために使用する。一般にコンテンツ管理情報には機器固有のキー（以後、Ｄｅｃｋ＿Ｋｅｙと表現する）を用いて暗号化して記録される。コンテンツもＤｅｃｋ＿Ｋｅｙを用いて暗号化されて記録される。外付ＨＤＤＤにコンテンツは無く、記録する前のフォーマットが完了した状態を示す。データブロック内の一部はＦｉｌｅ管理情報に使用し、それ以外は空いている状態である。一般にＦｉｌｅ管理情報は暗号化されていない。  バックアップ情報記憶部２６に情報は無い。
【００３５】
ＳＴＥＰ２ではコンテンツ１とコンテンツ２を外付けＨＤＤにバックアップを行った状態を表す。コンテンツ１とコンテンツ２の内容が外付けＨＤＤにコピーされる。続いてＦｉｌｅ管理情報にコンテンツ１とコンテンツ２の追加された状態を反映して記録される。バックアップ情報記憶部２６にはコンテンツ１とコンテンツ２をバックアップしたことがリストに追加される。
【００３６】
ＳＴＥＰ３では内蔵ＨＤＤから内蔵ＤＶＤのメディアにコンテンツ２をムーブする状態を表している。コンテンツ２はＤｅｃｋ＿Ｋｅｙで復号された後、ＤＶＤに記録するためにＣＰＲＭなどの規格に従い暗号化がされ、メディアに記録され、Ｆｉｌｅ管理情報が更新される。ＤＶＤに記録が確認された後、内蔵ＨＤＤからコンテンツ２の削除を行うためにコンテンツ管理情報、Ｆｉｌｅ管理情報が更新される。バックアップ情報記憶部２６のコンテンツ２をバックアップしたことを表す情報は無効となり削除される。
【００３７】
ＳＴＥＰ４が一連の結果の状態を示す。この状態で内蔵ＨＤＤが不良となり交換が必要となった場合をＳＴＥＰ５の状態となる。ＳＴＥＰ５の状態では内蔵ＨＤＤの内容はフォーマット直後と同じになり、データブロック内の一部はＦｉｌｅ管理情報とコンテンツ管理情報に使用し、それ以外は空いている状態である。
【００３８】
ＳＴＥＰ６はバックアップしていたコンテンツを復元するためにリストアする状態を示す。リストアの際にまずバックアップ情報記憶部２６を参照にバックアップ済みのコンテンツのリストを参照する。その後、外付けＨＤＤのＦｉｌｅ管理情報を参照し、バックアップされたコンテンツを見つけ、バックアップ情報記憶部にリストされているものだけをコピーしリストアする。具体的にはコンテンツ１はリストに存在するのでリストア出来る。コンテンツ２は先のＳＴＥＰ３にてＤＶＤにムーブされているのでバックアップは無効となっており、バックアップ情報記憶部２６のリストから削除されているのでリストアは実行されない。
【００３９】
もし、ここで本発明によるバックアップ情報記憶部２６を使った制御手段を用いない場合、外付けＨＤＤにバックアップされている状態だけで判断し、新しい内蔵ＨＤＤにリストアするとコンテンツ２もリストアされてしまい、コンテンツ２が内蔵ＨＤＤとＤＶＤの２箇所に存在することになり、コピーワンスのコンテンツの場合、コピー管理が正しく出来ないことになる。
【実施例２】
【００４０】
図３は実施例２を説明する図であり、本発明の図１のブロック構成を用いた場合を説明する図である。図３のＳＴＥＰ１では内蔵ＤＶＤのメディアにコンテンツは無く、記録する前のフォーマットが完了した状態を示す。データブロック内の一部はＦｉｌｅ管理情報に使用し、それ以外は空いている状態である。内蔵ＨＤＤにはコンテンツ１から４が記録済みである。データブロック内の一部はＦｉｌｅ管理情報とコンテンツ管理情報に使用している。コンテンツ管理情報には機器を区別するための機器固有の情報から生成したキー（以後、Ｄｅｃｋ＿Ｋｅｙと表現する）とＨＤＤを区別するための記録媒体固有の情報から生成したキー（以後、ＨＤＤ１＿Ｋｅｙと表現する）を用いて暗号化して記録される。コンテンツもＤｅｃｋ＿ＫｅｙとＨＤＤ１＿Ｋｅｙを用いて暗号化されて記録される。外付ＨＤＤＤにコンテンツは無く、記録する前のフォーマットが完了した状態を示す。データブロック内の一部はＦｉｌｅ管理情報とコンテンツ管理情報に使用し、それ以外は空いている状態である。コンテンツ管理情報には機器をＤｅｃｋ＿Ｋｅｙと外付けＨＤＤを区別するための記録媒体固有の情報から生成したキー（以後、ＨＤＤ２＿Ｋｅｙと表現する）を用いて暗号化して記録される。バックアップ情報記憶部２６に情報は無い。
【００４１】
ＳＴＥＰ２ではコンテンツ１とコンテンツ２を外付けＨＤＤにバックアップを行い、コンテンツ３とコンテンツ４は外付けＨＤＤにムーブした状態を表す。コンテンツ１とコンテンツ２の内容は読み出し時に一旦Ｄｅｃｋ＿ＫｅｙとＨＤＤ１＿Ｋｅｙを用いて復号化され外付けＨＤＤにコピーされる際にＤｅｃｋ＿ＫｅｙとＨＤＤ２＿Ｋｅｙを用いて暗号化されて記録される。コンテンツ３とコンテンツ４も同様に読み出し時に一旦Ｄｅｃｋ＿ＫｅｙとＨＤＤ１＿Ｋｅｙを用いて復号化され外付けＨＤＤにコピーされる際にＤｅｃｋ＿ＫｅｙとＨＤＤ２＿Ｋｅｙを用いて暗号化されて記録される。コンテンツ管理情報にコンテンツ１とコンテンツ２はバックアップ、コンテンツ３とコンテンツ４はムーブされた状態であうことを示す形で登録される。続いてＦｉｌｅ管理情報にコンテンツ１からコンテンツ４の追加された状態とコンテンツ管理情報が更新されたことを反映して記録される。
【００４２】
図中ではバックアップとムーブを分かりやすく区別するために拡張子をバックアップは．ＢＡＫをムーブはオリジナルの．ＴＳを用いて表している。バックアップ情報記憶部２６にはコンテンツ１とコンテンツ２をバックアップしたことがリストに追加される。
【００４３】
ＳＴＥＰ３では内蔵ＨＤＤから内蔵ＤＶＤのメディアにコンテンツ２をムーブし、コンテンツ３を外付けＨＤＤから内蔵ＨＤＤにムーブする状態を表している。コンテンツ２はＤｅｃｋ＿ＫｅｙとＨＤＤ１＿Ｋｅｙで復号された後、ＤＶＤに記録するためにＣＰＲＭなどの規格に従い暗号化がされ、メディアに記録され、Ｆｉｌｅ管理情報が更新される。ＤＶＤに記録が確認された後、内蔵ＨＤＤからコンテンツ２の削除を行うためにコンテンツ管理情報、Ｆｉｌｅ管理情報が更新される。バックアップ情報記憶部２６のコンテンツ２をバックアップしたことを表す情報は無効となり削除される。
【００４４】
コンテンツ３は読み出されＤｅｃｋ＿ＫｅｙとＨＤＤ２＿Ｋｅｙで復号された後、内蔵ＨＤＤに記録するためにＤｅｃｋ＿ＫｅｙとＨＤＤ１＿Ｋｅｙで再び暗号化されて内蔵ＨＤＤに記録される。コンテンツ３の登録を行うために内蔵ＨＤＤのコンテンツ管理情報、Ｆｉｌｅ管理情報が更新される。内蔵ＨＤＤに記録が確認された後、外付けＨＤＤからコンテンツ２の削除を行うためにコンテンツ管理情報、Ｆｉｌｅ管理情報が更新される。
【００４５】
ＳＴＥＰ４が一連の結果の状態を示す。この状態で内蔵ＨＤＤが不良となり交換が必要となった場合をＳＴＥＰ５の状態となる。
【００４６】
ＳＴＥＰ５の状態では内蔵ＨＤＤの内容はフォーマット直後と同じになり、データブロック内の一部はＦｉｌｅ管理情報とコンテンツ管理情報に使用し、それ以外は空いている状態である。
【００４７】
ＳＴＥＰ６はバックアップしていたコンテンツを復元するためにリストアする状態を示す。リストアの際にまずバックアップ情報記憶部２６を参照にバックアップ済みのコンテンツのリストを参照する。その後、外付けＨＤＤのＦｉｌｅ管理情報を参照し、バックアップされたコンテンツを見つけ、バックアップ情報記憶部にリストされているものだけをコピーしリストアする。具体的にはコンテンツ１はリストに存在するのでリストア出来る。コンテンツ２は先のＳＴＥＰ３にてＤＶＤにムーブされているのでバックアップは無効となっており、バックアップ情報記憶部２６のリストから削除されているのでリストアは実行されない。
【００４８】
本実施例ではバックアップ情報記憶部２６に記憶するリスト情報としてコンテンツを区別するための名前を用いているが、コンテンツが区別できれば良いのでIDの様なものを用いても良い。また、コンテンツ区別以外にもバックアップ元、バックアップ先に使用しているＨＤＤを識別する情報を合わせて記憶しておくことでより改ざんなどの不正を判定することが出来る。
【図面の簡単な説明】
【００４９】
【図１】図１は、本発明によるデジタル画像記録再生装置の一実施形態例を示す機能ブロック図である。
【図２】図２は、本発明によるデジタル画像記録再生装置の実施例１を説明する図である。
【図３】図３は、本発明によるデジタル画像記録再生装置の実施例２を説明する図である。
【図４】図４は、従来のデジタル放送受信装置を示す機能ブロック図である。
【図５】図５は、従来のデジタル画像記録再生装置を示す機能ブロック図である。
【図６】図６は、従来のデジタル画像記録再生装置の動作を説明する図である。
【図７】図７は、従来のデジタル画像記録再生装置の動作を説明する図である。
【符号の説明】
【００５０】
０１    アンテナ
０２    制御部
０３    メモリ
０４    チューナー
０５    デスクランブラ
０６    バッファ制御部
０７    ＶＩＤＥＯデコーダ部
０８    表示装置
０９    ＩＥＥＥ１３９４  Ｉ／Ｆ部
１０    暗号部（ＤＴＣＰ）
１１    ＴＳ−ＤＥＭＵＸ
１２    ＡＵＤＩＯデコーダ部
１３    スピーカー
１４    暗号部（ＣＰＲＭ）
１５    暗号部（ＬＯＣＡＬ方式）
１６    ＫＥＹ生成部
１７    ＡＴＡＰＩ  Ｉ／Ｆ部
１８    ＨＤＤ  Ｉ／Ｆ部
１９    内蔵ＤＶＤ
２０    内蔵ＨＤＤ
２１    ＬＡＮ  Ｉ／Ｆ部
２２    ＵＳＢ  Ｉ／Ｆ部
２３    ＤＶＤ記録メディア
２４    ＬＡＮ接続ＨＤＤ
２５    ＵＳＢ接続ＨＤＤ
２６    バックアップ情報記憶部
【図１】
2007294054.tif 000003
【図２】
2007294054.tif 000004
【図３】
2007294054.tif 000005
【図４】
2007294054.tif 000006
【図５】
2007294054.tif 000007
【図６】
2007294054.tif 000008
【図７】
2007294054.tif 000009